(57)【要約】【課題】特性のよい放射器およびこの放射器を用いたアンテナを提供する。【解決手段】  第１放射器と第２放射器を相互に離隔して平行に配してなる放射器において，前記第１放射器および前記第２放射器はそれぞれ放射器の配列方向に直交する面上に垂直方向の高さに比べて水平方向の長さが長い略長方形に形成された１つの第１ループアンテナ及び１つの第２ループアンテナから構成されており，しかも，第１ループアンテナの元部と第２ループアンテナの元部は，ループアンテナの配列方向に相対向する第１ループアンテナと第２ループアンテナの元部との間に,夫々位相調整手段を介設した。【選択図】  図１
2008047988.tif 000002
【特許請求の範囲】
【請求項１】
第１放射器と第２放射器を相互に離隔して平行に配してなる放射器において，
前記第１放射器および前記第２放射器はそれぞれ放射器の配列方向に直交する面上に形成された１つの第１ループアンテナ及び１つの第２ループアンテナから構成されており，しかも，ループアンテナの配列方向に相対向する第１ループアンテナの元部と第２ループアンテナの元部との間には，夫々位相調整手段を介設したことを特徴とした放射器。
【請求項２】
前記第１ループアンテナの長さは使用周波数における最小周波数に対応する波長λ１と略等しい長さであり，前記第２ループアンテナの長さは使用周波数における中心周波数に対応する波長λ２と略等しい長さであり，第１ループアンテナと第２ループアンテナ相互間の間隔は使用周波数における中心周波数に対応する波長λ２の略１０分の１であることを特徴とした請求項１に記載の放射器。
【請求項３】
放射器を挟んで前後に導波器と反射器を配置してなるアンテナにおいて，
前記放射器は，長さが使用周波数における最小周波数に対応する波長λ１と略等しい長さである１つの第１ループアンテナと，長さが使用周波数における中心周波数に対応する波長λ２と略等しい長さである１つの第２ループアンテナから構成されており，しかも，ループアンテナの配列方向に相対向する第１ループアンテナの元部と第２ループアンテナの元部との間には，夫々位相調整手段を介設すると共に，第１ループアンテナと第２ループアンテナ相互間の間隔を使用周波数における中心周波数に対応する波長λ２の略１０分の１離して並列配置して構成され，
前記導波器は，一対の第３ループアンテナを互いに対称位置に離隔して配置するか若しくはこの一対の第３ループアンテナを上下に平行に２段配して４つの第３ループアンテナからなるように構成されたことを特徴としたアンテナ。
【請求項４】
電波到来方向に対して前後に隣り合うループアンテナの前方に位置するループアンテナの長さは，後方に位置するループアンテナの長さと同じ若しくは僅かに小さくなるように構成したことを特徴とした請求項３に記載のアンテナ
【請求項５】
前記放射器は，前記第１ループアンテナ及び第２ループアンテナのループ内における水平方向の略中心を通過するアンテナ支持杆によって保持され，
前記導波器は，前記第３ループアンテナの相互間の略中心点を前記アンテナ支持杆によって保持されたことを特徴とした請求項３または請求項４の何れか一項に記載のアンテナ
【請求項６】
前記放射器は，少なくとも，前記第１ループアンテナ及び第２ループアンテナの元部と，該元部間に介設した前記位相調整手段と，アンテナの出力を不平衡出力にするための平衡不平衡変換部を内部に収納する空間を有するケースと，該ケースの内部と外部とを接続するための同軸接栓座を備え，
該ケースはその底面における前記アンテナ支持杆の取付けに邪魔にならない位置に，底面から更に下方に突設して内部に前記空間と連設した収納空間を有する収容部を備え，
前記同軸接栓座は前記収容部の底面から下方に向いて，その先端部が，前記アンテナ支持杆の中心軸線上を通過し該中心軸線に略平行に形成される仮想平面と略同じか下方向に位置するように突設したことを特徴とした請求項３から請求項５の何れか一項に記載のアンテナ。
【請求項７】
前記放射器またはアンテナの使用周波数はＵＨＦ帯であることを特徴とした請求項１から請求項６の何れか一項に記載の放射器またはアンテナ。
【発明の詳細な説明】
【技術分野】
【０００１】
本発明は，主にテレビ受信に利用されるアンテナに関し，詳しくはＵＨＦ帯のテレビ電波を受信するＵＨＦアンテナに適した放射器およびこの放射器を使ったアンテナの構成に関する。
【背景技術】
【０００２】
従来の八木・宇田式アンテナに用いられる放射器の例として,第１放射器は２つの第１放射素子を互いに対称位置に離隔して配置し，また第２放射器は２つの第２放射素子を互いに対称位置において離隔すると共に，第１放射器とは相互に離間させて並行に配して構成し，しかも使用周波数帯域で，その中心周波数に対応する波長をλとしたとき，上記第１放射素子の放射素子の長さは０．３〜０．５λ，第２の放射器の放射素子の長さを０．１５〜０．５λ，第１放射素子と第２放射素子の夫々の元部の間には，各々定在波比調整用のコイルを２組の相対向している第１放射素子と第２放射素子とをそれぞれ直列に接続する状態にかつまたコイル相互は並列状態となるように介設させるように構成したものが提案されている。
この放射器においては，放射器本体単体で最もよい前後比が得られるように決定された同一規格の放射器本体を多数製作しておき，これに対してコイルを複数製作しておいて，特定周波数で良特性が得られる特別注文に対しては，放射器本体に適宜所望の周波数特性で良特性が得られるようなコイルをつけて製品化すると言う簡単な手段によって応じられ，その納期は非常に短くすることができると共に，価格も安くすることができる。
（例えば，特許文献１参照）
【０００３】
【特許文献１】特許１０９２３４０号公報
【発明の開示】
【発明が解決しようとする課題】
【０００４】
しかし，従来の八木・宇田式アンテナは，受信波長で決まる各素子の長さや形状等を大きく変更することはできず，相変わらず細長い導体棒を複数使用しなければならないので，各導体棒の端部が尖ってその取扱いは不便であった。
しかも，その導体棒はアンテナの軽量化のために金属パイプが用いられている場合が多く，その先端部の切断面から給電点に向かって雨水等が浸入するのを防止するために防水キャップ等を取付けたり，先端分をプレス加工等によって押しつぶしたりする必要があり，キャップの場合はその取付けに手間がかかるし，その耐久性にも問題があった。また，プレスの場合は生産工程が複雑になるといった問題があった。
また，放射器を細い導体棒を用いて構成しているので，更に電気的特性の改善をするためには，放射器を太い導体棒で構成して放射素子の面積を広くして最適化すればよいのであるが，これには放射器が大きくなったり，重くなったりし，延いては製品コストが高くなると言った問題があった。
そこで本願においては，こうした問題点を解決するためになされたものであり，
その目的は，簡単な構成で電気的特性のよい放射器を提案することを課題とする。
他の目的は，広帯域に亘って特性のよい放射器を提案することを課題とする。
他の目的は，耐久性のよい放射器を提案することを課題とする。
他の目的は，簡単な構成で電気的特性のよいアンテナを提案することを課題とする。
他の目的は，広帯域に亘って特性のよいアンテナを提案することを課題とする。
他の目的は，小型でも高性能なアンテナを提供することを課題とする。
他の目的は，設置工事に際して簡単且つ安全なアンテナを提供することがある。
他の目的は，簡単な構成で組立て易くても耐久性の高いアンテナを提供することを課題とする。
【課題を解決するための手段】
【０００５】
上記課題を解決するために，請求項１の発明は，第１放射器と第２放射器を相互に離隔して平行に配してなる放射器において，
前記第１放射器および前記第２放射器はそれぞれ放射器の配列方向に直交する面上に形成された１つの第１ループアンテナ及び１つの第２ループアンテナから構成されており，しかも，ループアンテナの配列方向に相対向する第１ループアンテナの元部と第２ループアンテナの元部との間には，夫々位相調整手段を介設するように構成される。
【０００６】
請求項２の発明は，請求項１に記載の放射器において，前記第１ループアンテナの長さは使用周波数における最小周波数に対応する波長λ１と略等しい長さであり，前記第２ループアンテナの長さは使用周波数における中心周波数に対応する波長λ２と略等しい長さであり，第１ループアンテナと第２ループアンテナ相互間の間隔は使用周波数における中心周波数に対応する波長λ２の略１０分の１であるように構成した。
【０００７】
請求項３の発明は，放射器を挟んで前後に導波器と反射器を配置してなるアンテナにおいて，
前記放射器は，長さが使用周波数における最小周波数に対応する波長λ１と略等しい長さである１つの第１ループアンテナと，長さが使用周波数における中心周波数に対応する波長λ２と略等しい長さである１つの第２ループアンテナから構成されており，しかも，ループアンテナの配列方向に相対向する第１ループアンテナの元部と第２ループアンテナの元部との間には，夫々位相調整手段を介設すると共に，第１ループアンテナと第２ループアンテナ相互間の間隔を使用周波数における中心周波数に対応する波長λ２の略１０分の１離して並列配置して構成され，
前記導波器は，一対の第３ループアンテナを互いに対称位置に離隔して配置するか若しくはこの一対の第３ループアンテナを上下に平行に２段配して４つの第３ループアンテナからなるように構成した。
【０００８】
請求項４の発明は，請求項３に記載のアンテナにおいて，電波到来方向に対して前後に隣り合うループアンテナの前方に位置するループアンテナの長さは，後方に位置するループアンテナの長さと同じ若しくは僅かに小さくなるように構成した。
【０００９】
請求項５の発明は，請求項３または請求項４の何れか一項に記載のアンテナにおいて，前記放射器は，前記第１ループアンテナ及び第２ループアンテナのループ内における水平方向の略中心を通過するアンテナ支持杆によって保持され，
前記導波器は，前記第３ループアンテナの相互間の略中心点を前記アンテナ支持杆によって保持されるように構成した。
【００１０】
請求項６の発明は，請求項３から請求項５の何れか一項に記載のアンテナにおいて，前記放射器は，少なくとも，前記第１ループアンテナ及び第２ループアンテナの元部と，該元部間に介設した前記位相調整手段と，アンテナの出力を不平衡出力にするための平衡不平衡変換部を内部に収納する空間を有するケースと，該ケースの内部と外部とを接続するための同軸接栓座を備え，
該ケースはその底面における前記アンテナ支持杆の取付けに邪魔にならない位置に，底面から更に下方に突設して内部に前記空間と連設した収納空間を有する収容部を備え，
前記同軸接栓座は前記収容部の底面から下方に向いて，その先端部が，前記アンテナ支持杆中心軸線上を通過し該中心軸線に略平行に形成される仮想平面と略同じか下方向に位置するように突設するように構成した。
【００１１】
請求項７の発明は，請求項１から請求項６の何れか一項に記載の放射器またはアンテナにおいて，その使用周波数はＵＨＦ帯であるように構成した。
【発明の効果】
【００１２】
請求項１および請求項２の発明によれば，放射器を１つの第１ループアンテナと１つの第２ループアンテナで構成することによって，エレメントには従来例のように切断面が形成されることがないので，エレメントに対して特別な防水処理が必要なくなり，放射器の耐久性が向上する。
しかも，放射器を１つの第１ループアンテナと１つの第２ループアンテナで構成し，第２ループアンテナを導波器のように動作させる長さに形成されると共に，その配列において元部間に位相調整手段を介設して第１ループアンテナと第２ループアンテナとの間隔を最適化したので，放射器の前後方向の長さが従来例の放射器と比べてさほど長くすることなく第１ループアンテナから第２ループアンテナの配列方向に最大の指向特性を有する高性能な放射器を提供できる。また，従来のように導体棒で放射素子を形成するよりもループアンテナで構成することで放射素子が広い面積を有するようになり，これによって放射器の電気的特性が改善される。
【００１３】
請求項３および請求項４の発明によれば，１つの第１ループアンテナを放射器とし，１つの第２ループアンテナを導波器のように動作させる長さにし，加えて，その配列において元部に位相調整手段を介設して第１ループアンテナと第２ループアンテナとの間隔を最適化した放射器と，第３ループアンテナを同一平面状の水平方向に２つ並列配置するか若しくはこの２つ並列配置した第３ループアンテナを上下に２段積んだスタック構成の導波器とでアンテナを構成することによって，素子数が少なくても（即ち，小型のアンテナであっても）高性能なアンテナを提供できる。また，素子数が少なくて済むことから組立てが容易となり，延いては製品コストの低減が出来る。更に，導波器と反射器の各素子はループアンテナからなリ，反射器は網状に形成されているので，八木・宇田式アンテナのように各導体棒の端部が尖っていることもなく，その分，取り扱いが容易で，その設置作業も簡単・安全にできる。
【００１４】
請求項５および請求項６の発明によれば，放射器のループアンテナの中をアンテナ支持杆が通過するように構成すると共に，放射器のケースの下方にアンテナ支持杆の取付に邪魔にならない位置に形成した収容部の収容空間に，例えば平衡不平衡変換部のようにその配設に所定のスペースが必要とする部品等を収納できるようになったので，ケースの前記空間を大きくすることがなく，アンテナの上方に突設する寸法を小さくすることができスマートなアンテナが提供できる。また，アンテナ出力端子の先端部が，前記アンテナ支持杆中心軸線上を通過し該中心軸線に略平行に形成される仮想平面と略同じか下方向に位置するように突設しているので，アンテナ支持杆の下方に突設するループアンテナの下辺にあたる下部素子やアンテナ支持杆が，アンテナ出力端子への引込線の接続作業性を損なうことのない，作業性に優れたアンテナを提供できる。
【００１５】
そして請求項７に示される構成のように，この放射器とアンテナをＵＨＦ帯に対応するようにすれば，地上ディジタル放送受信用に好適なＵＨＦアンテナを提供することができる。
【発明を実施するための最良の形態】
【００１６】
以下に，本発明を具体化した実施形態の例を，図面を基に詳細に説明する。
図１は本発明に係る放射器の構成を示す概略斜視図である。図２本発明に係るアンテナの導波器を示す概略構成図であり（ａ）は上面図であり，（ｂ）は正面図であり，（ｃ）は背面図であり，（ｄ）は右側面図である。図（３）は本発明に係るアンテナを示す概略の構成図であり，（ａ）は上面図であり，（ｂ）は側面図である。図４は図３（ａ）におけるＡ−Ａ線断面図であり，（ｂ）は図３（ａ）におけるＢ−Ｂ線断面図（反射器は省略した）である。図５は本発明のアンテナの電気的特性を示すデータである。
【実施例１】
【００１７】
先ず本発明に係る放射器について図１を用いて説明する。図１において１０は本発明に係る放射器を示す。この図に示されるように放射器１０は，第１放射器１１と第２放射器１２を，図に示される前方（図に示される矢印Ｆ方向）に第２放射器１２，後方に第１放射器１１となるように相互に離隔して平行に配した構成になっている。この第１放射器１１は放射器の配列方向に直交する平面上に，水平方向の両側に長く，元部１１ｇには接続点１１ａ，１１ａ´を備える上部放射素子１１ｄと，該上部放射素子１１ｄより下方に略平行に配設される下部放射素子１１ｅと，上部放射素子１１ｄと下部放射素子１１ｅの両端部を結ぶ側部放射素子１１ｂ，１１ｃからなる矩形に形成された１つの第１ループアンテナから構成されている。同様に第２放射器１２は，放射器の配列方向に直交する平面上に，水平方向の両側に長く，元部１２ｇには接続点１２ａ，１２ａ´を備える上部放射素子１２ｄと，該上部放射素子１２ｄより下方に略平行に配設される下部放射素子１２ｅと，上部放射素子１２ｄと下部放射素子１２ｅの両端部を結ぶ側部放射素子１２ｂ，１２ｃからなる矩形に形成された１つの第２ループアンテナから構成されている。
しかも，第１ループアンテナ１１と第２ループアンテナとは，ループアンテナの配列方向に相対向する第１ループアンテナ１１の元部１１ｇの接続点１１ａ，１１ａ´と第２ループアンテナ１２の元部１２ｇの接続点１２ａ，１２ａ´との間に,夫々位相調整用の位相調整手段１５，１５が介設されている。
尚，本発明に実施例では放射素子としてのループアンテナの形状を矩形としたが，特にこの形状に限定されるものではなく必要に応じて他の形状となるように構成してもよい。
【００１８】
そして，この構成において所望の電気的特性が得られるように第１のループアンテナ１１および第２ループアンテナ１２の長さ，間隔を決定する。本発明によれば前記第１ループアンテナ１１の長さは使用周波数における最小周波数に対応する波長λ１と略等しい長さであり，前記第２ループアンテナ１２の長さは使用周波数における中心周波数に対応する波長λ２と略等しい長さであり，第１ループアンテナと第２ループアンテナ相互間の間隔は使用周波数における中心周波数に対応する波長λ２の略１０分の１であるように構成されている。
ここで，放射器のループアンテナの具体的な寸法を示す。第１のループアンテナ１１は側部放射素子１１ｂ−１１ｃ間の長さＷ４＝２６５ｍｍ，側部放射素子１１ｂ（１１ｃ）の長さＨ４＝４０．５ｍｍであり，第２のループアンテナ１２は側部放射素子１２ｂ−１２ｃ間の長さＷ５＝２３５ｍｍ，側部放射素子の長さＨ５＝４０．５ｍｍであり，第１のループアンテナ１１と第２のループアンテナ１２の間隔は５２ｍｍである。
このように構成された放射器１０は第１ループアンテナ１１，第２ループアンテナ１２の配列方向に最大の指向特性を有するように構成される。
尚，本発明の実施例において，前記第１ループアンテナ１１および前記第２ループアンテナ１２は直径３ｍｍの金属棒を所定長に折り曲げ形成したものであるが，金属パイプで形成してもよいし，導電材をプレス加工したものでもよいし，細い線材をループ状に形成したものを樹脂で一体成形してもよい等，導電材料であれば実施例に限定されるものではない。
【００１９】
そして，少なくとも，放射器１０を構成する第１ループアンテナ１１の元部１１ｇ，第２ループアンテナ１２の元部１２ｇ，位相調整手段１５はケース５に収納されている。
尚，本発明の実施例では，前記位相調整手段１５はプリント配線板に備えられた金属導体を所定の長さにエッチングすることによって形成したものでもよいし，金属板等を所定長に打ち抜き形成するなどして形成してもよい。
【００２０】
次に導波器３について図２を用いて説明する。図２において３は本発明に係る導波器を示す。図２に示されるように本発明の実施例における導波器３は，垂直方向の高さに比べて水平方向の長さが長い略長方形に形成された第３ループアンテナ３０，３０を，導波器の配列方向に直交する平面上に所定間隔離し，長手方向の軸線を水平方向に一致させて２つ並列配置した構成となっている。この第３ループアンテナ３０は導波器３の配列方向に直交する平面上に，水平方向に長い上部導波素子３０ｄと該上部放射素子３０ｄより下方に略平行に配設される下部導波素子３０ｅと，上部導波素子３０ｄと下部導波素子３０ｅの両端部を結ぶ側部導波素子３０ｂ，３０ｃからなる矩形に形成されている。尚，本発明の実施例では導波器３は，側部導波器３０ｂ，３０ｂの間隔（以下，導波器の幅と記載する。）Ｗそれぞれ異なる３Ａ，３Ｂ，３Ｃの３種類用意されている。
ここで，導波器の第３ループアンテナ３０の具体的な寸法を示す。本発明の実施例では，導波器の幅ＷはそれぞれＷ１＝１１０ｍｍ，Ｗ２＝１２５ｍｍ，Ｗ３＝１４０ｍｍの３種類あり，夫々の導波器は長さＨ１＝２０ｍｍが同じ長さの側部放射素子３０ｂ（３０ｃ）から構成されており，第３ループアンテナ３０を相互に６０ｍｍ離すように配設されて導波器３が構成されている。
尚，本発明の実施例では，前記第３ループアンテナ３０は直径３ｍｍの金属棒を所定長に折り曲げ形成したものであるが，この実施例に限定されるものではなく，金属パイプで形成してもよいし，導電材をプレス加工したものでもよいし，細い線材をループ状に形成したものを樹脂で一体成形してもよい等，導電材料であれば実施例に限定されるものではない。また，この実施例では第３のループアンテナ３０が矩形をしている例を示したが，この実施例に限定されるものではなく適宜にその形状を変えてもよい。
【００２１】
そして，この第３ループアンテナ３０は，長手方向の軸線を同一線上に配設すると共に，導波器３の幅Ｗが前述した所定長となるように，夫々の元部３０ｇをループアンテナ支持台３１によって保持されて導波器３が形成されている。このループアンテナ支持台３１は，合成樹脂材等を金型等によって成形したものであり，第３ループアンテナ３０はループアンテナ支持台３１に一体加工によってしっかりと取付けられてループアンテナ３０がスタック配列された導波器３を構成している。また，ループアンテナ支持台３１の略中心位置には，導波器３を支持固定するアンテナ支持杆２を挿通するための挿通孔３４が形成されている。更に，この挿通孔３４の周縁の全周若しくは図における少なくとも上側部分には，アンテナ支持台３１からアンテナ支持杆２の軸線方向に略平行に突設し，その突設部分の中央部にはアンテナ支持杆２の軸線に直交する方向に軸線を有する貫通孔３３を備えた突設片３２が形成されている。
【００２２】
このように構成された放射器１０と導波器３を備えたアンテナの構成例を図３に示す。図３において１はアンテナであり，本発明の実施例では，ＵＨＦアンテナを構成した例を示している。上述のように導波器３は幅Ｗが異なる３種類の導波器３Ａ，３Ｂ，３Ｃから構成されており，アンテナの前方側から順に第１の導波器３Ａ，第２の導波器３Ａ，第３の導波器３Ａの３本の導波器が夫々Ｌ１に示される間隔で配設され，その後にＬ２に示される間隔だけ離れて第４の導波器３Ｂが配設され，さらにＬ１に示される間隔だけ離れて第５の導波器３Ｃが配設されている。
そして，第５の導波器３Ｃの後方には，第２ループアンテナ１２と第１ループアンテン１１との前後の中心点と前記第６の導波器３Ｃとの間隔がＬ３となるように放射器１０が配設され，放射器１０の後方には間隔Ｌ４だけ離れて反射器２０が配設されて全部で７エレメントのＵＨＦアンテナを構成している。
ここで，各素子の間隔の具体的な寸法を示す。本発明に係る実施例においてはＬ１＝１００ｍｍ，Ｌ２＝１１０ｍｍ，Ｌ３＝７０ｍｍ，Ｌ４＝１２０ｍｍである。
尚，この図に示されるように，第１，第２および第３の導波器３Ａの幅がＷ１であり，第４および第５の導波器３Ｂの幅がＷ２であり，第６の導波器３Ｃの幅がＷ３である。これらの導波器の高さ（側部導波素子３ｂ）は何れもＨ１である。
放射器１０は，第２ループアンテナ１２の幅がＷ５であり，第１ループアンテナ１１の幅がＷ４であり，その高さはＨ４，Ｈ５で示されている。尚，本発明の実施例ではＨ４とＨ５は同じ寸法である。
このように構成されたアンテナの電気的特性を図５に示す。このデータは特にアンテナの前後比に注目したデータであり，従来の導体棒で構成したアンテナの場合とループアンテナで構成した場合を比較したものである。この結果によれば，本発明のループアンテナで構成したものが導体棒で構成したものに比べてほぼ全体域に渡って前後比の改善が見られる。
尚，本発明の実施例ではループアンテナの高さは導波器３がＨ１であり，放射器がＨ４（＝Ｈ５）である２種類から構成されているが，特にこの実施例に限定されるものではなく，例えば，隣り合うループアンテナの，電波到来方向に対して前方に位置するループンテナの垂直方向の高さが，後方に位置するループアンテナの垂直方向の高さより僅かに小さくなるように構成してもよい。
つまり，反射器２０の外形はＷ６×Ｈ６＝２８０×１００ｍｍであるので，各エレメントの高さが，反射器２０から最前列の導波器３に向かって徐々に小さく（即ち，ループアンテナの長さが短くなる）なるように構成してもよい。
【００２３】
図４を基に導波器３と放射器１０をアンテナ支持杆２に取付ける具体的な例を説明する。図４は（ａ）は図３（ａ）に示されているＡ−Ａ線断面図であり，（ｂ）は図３（ａ）に示されているＢ−Ｂ線断面図である。尚，この図４（ｂ）においては説明を簡単にするために反射器２０は省略すると共に，一部を破断した図面を示す。
導波器３（図では第６の導波器３Ｃ）をアンテナ支持杆２に取付ける手順を説明する。先ずアンテナ支持杆２を導波器３のループアンテナ支持台３１に形成した挿通孔３４に挿通する。アンテナ支持杆２には上述に示す第１の導波器３Ａから第６の導波器３Ｃの配設間隔であるＬ１，Ｌ２，Ｌ３に対応する位置にアンテナ支持杆２を貫通するように導波器取付用の貫通孔２３が形成されているので，この中から所定の導波器を，それに対応する導波器取付用の貫通孔２３の軸線とループアンテナ支持台３１の突設片３２に形成された貫通孔３３の軸線とを略一致するように位置させて，例えば突設片３２の上方から貫通孔３３，導波器取付用の貫通孔２３を挿通するようにネジ２１を備え，このネジ２１をアンテナ支持杆２の下側に備えたナット２２に螺合する事によって導波器３とアンテナ支持杆２を挟着保持すれば，導波器３はアンテナ支持杆２に対して所定の間隔で取付けられる。
尚，本発明の実施例ではアンテナ支持杆２は導波器の中心点（即ち，ループアンテナ支持台に形成された挿通孔）を通過するようにして導波器３を支持した例を示したが，図３（ｃ）に示されるようにアンテナ支持杆２の上側（もしくは下側）に書くエレメントが配されるように構成してもよいなど特に限定されるものではない。
【００２４】
次に，放射器１０をアンテナ支持杆２に取付ける手順を説明する。アンテナ支持杆２には導波器３を取付ける為の導波器取付用の貫通孔２３に加えて，前記第６の導波器３Ｃより所定間隔Ｌ４だけ離れた後方位置に，前記導波器取付用の貫通孔２３と並行になるように放射器１０取付用の貫通孔２４がアンテナ支持杆２を貫通して形成されている。そして，放射器１０に備えられた第１および第２ループアンテナ１１，１２を貫通するようにアンテナ支持杆２を挿通して，前記ケース５の底部に形成された取付部８が前記放射器取付用の貫通孔２４に対向する位置まで移動させる。取付部８と放射器取付用の貫通孔２４とが略同一軸線上となったなら，アンテナ支持杆２の下方からネジ２５を放射器取付用の貫通孔２４に挿入する。
取付部８の略中央部には，前記ネジ２５に螺合する雌ネジ部を有するナット９が備えられているので，このナット９にネジ２５を螺合する事によって放射器１０はアンテナ支持杆２に取付けられる。前記取付部８が形成されたケース本体７の底部には，放射器１０にアンテナ支持杆２が取付けられたときに，アンテナ支持杆２の上側外周に当接するように形成された湾曲部１７ａを有する受片１７が，取付部８を挟んでアンテナ支持杆２の軸方向に配列するようにケース本体７の前後に形成されており，放射器１０がアンテナ支持杆２に対して安定して取付けられるように構成されている。この取付け状態を図４（ｂ）に示す。
【００２５】
次に放射器１０の組立て手順について説明する。ケース本体７の内部に形成される第１収納空間７ａの底部内面には略中央部にネジ取付穴１４ａを有するボス１４が形成されている。このボス１４は前記位相調整手段１５としての伝送線路が形成されたプリント配線板４３を取付けると共に，第１ループアンテナ１１および第２ループアンテナ１２をケース本体７に固定する為のものである。前記プリント配線板４３にはボス１４に対向する位置に固定用の挿通孔（図には示されていない）が形成されているので，先ず，この固定用の挿通孔をボスのネジ取付穴１４ａに対向するようにプリントハイセンバン４３をボス上に載置する。次に，第１ループアンテナ１１および第２ループアンテナ１２をケース本体７に取付ける。この第１ループアンテナ１１および第２ループアンテナ１２のケース本体７内に収納される接続点１１ａ，１１ａ´および１２ａ，１２ａ´を含む元部１１ｇおよび１２ｇの先端部は，プレス加工等によって平板上に形成されると共に，先端部を開放してＵ字形に形成した凹部４１，４１´および４２，４２´（図には４１および４２だけが示されている。）が形成されているので，この凹部の上方からビス４４を凹部，プリント基板４３に形成された固定用挿通孔を介してネジ取付穴１４ａに螺合する事によって固着する。
【００２６】
位相調整手段１５を備えた前記プリント基板４３の取付が完了したのならば，プリント配線板４３の所定位置とアンテナ出力端子４０との間を平衡不平衡変換部４５等を介して接続する。収容部１８はこの平衡不平衡変換部４５等を収納すると共に，前記アンテナ出力端子４０を取付ける為の空間であり，ケース本体７の底部の一部から下方に突設して内部に第２収納空間１８ａを有し，この第２収納空間１８ａの底面にアンテナと外部とを接続するためのアンテナ出力端子としてＦ型同軸接栓座４０を備えるように構成されている。尚，図に示される１９は水切りスカート部であり，収容部１８の下面に，前記同軸接栓座４０と軸心を一致させた円筒状の水切りが下方に向けて２重に突設されている。
更に収容部１８は，アンテナ出力端子４０の先端部が，前記アンテナ支持杆の中心軸線上を通過し該中心軸線に略平行に形成される仮想平面（図４（ｂ）におけるＨ−Ｈ線）と略同じか下方向に位置するように形成されていることから，アンテナ出力端子４０に対して引込線を接続する際に，アンテナ支持杆２やループアンテナ１１，１２が邪魔になって接続の容易性を損なうことがない。一例として図４（ｂ）に示されるように，アンテナ出力端子４０の先端部がほぼループアンテナの下部放射素子１１ｅ，１２ｅが配列方向に形成する仮想平面上になるようにその高さが形成されていればよい。
また，平衡不平衡変換部４５等の収容部１８をアンテナ支持杆２が配設される側（即ち，下方に）でアンテナ支持杆２の取付けに邪魔にならない位置に突設したので，放射器１０のケース５がアンテナ支持杆２の上方に突設する部分が小さくできる。
尚，本発明の実施例では，収容部１８には平衡不平衡変換部４５等を収納する例を示したが，平衡不平衡変換部４５等ばかりでなく例えばこのＵＨＦアンテナの出力信号と，図には示されていない例えば衛星アンテナのような外付けのアンテナからの信号を混合して一つのアンテナ出力端子４０から出力する混合回路を収納してもよい。この場合，収容部１８の下面には，外付けアンテナからの引込線を接続する外付けアンテナ用の外部アンテナ入力端子を備えさせればよい。
【００２７】
即ち，本発明に係るアンテナによれば，素子数が少なくても（即ち，小型のアンテナであっても）高性能なアンテナを提供できる。また，素子数が少なくて済むことから組立てが容易となり，延いては製品コストの低減が出来る。更に，導波器と反射器の各素子はループアンテナからなリ，反射器は網状に形成されているので，八木・宇田式アンテナのように各導体棒の端部が尖っていることもなく，その分，取り扱いが容易で，その設置作業も簡単・安全にできる。
また，アンテナ支持杆２の取付けに邪魔にならない位置に形成した収容部の収容空間に，例えば平衡不平衡変換部のようにその配設に所定のスペースが必要とする部品等を収納できるようになったので，ケースの前記空間を大きくすることがなく，アンテナの上方に突設する寸法を小さくすることができスマートなアンテナが提供できる。更に，アンテナ出力端子の先端部が，前記アンテナ支持杆中心軸線上を通過し該中心軸線に略平行に形成される仮想平面と略同じか下方向に位置するように突設しているので，アンテナ支持杆の下方に突設するループアンテナの下辺にあたる下部素子が，アンテナ出力端子への引込線の接続作業を損なうことがなく，作業性のよいアンテナを提供できる。
また，放射器および導波器の各素子の面積を広くすることができるので，優れた電気的特性を有するアンテナを提供できる。
尚，本発明は上記実施の形態に限定されるものではなく，各部の構成を適宜に変更して実施することも可能である。
【図面の簡単な説明】
【００２８】
【図１】本発明に係る放射器の実施例を示す概略斜視図である
【図２】本発明に係るアンテナの導波器の実施例を示す図であり，（ａ）は上面図，（ｂ）は正面図，（ｃ）は背面図，（ｄ）は右側面図である。
【図３】本発明に係るアンテナの概略構成図であり，（ａ）は上面図，（ｂ）は側面図である。
【図４】は図３（ａ）におけるＡ−Ａ線断面図であり，（ｂ）は図３（ａ）におけるＢ−Ｂ線断面図（反射器は省略した）である。
【図５】は本発明に係るアンテナと従来技術のアンテナの電気的特性の比較データ。
【符号の説明】
【００２９】
１…アンテナ，２…アンテナ支持杆，３（３Ａ，３Ｂ，３Ｃ）…導波器，５…ケース，６…蓋体，７…ケース本体，７ａ…第１収容空間，８…取付部，９…ナット，１０…放射器，１１…第１ループアンテナ，１１ａ・１１ａ´…接続点，１１ｂ・１１ｃ…側部導波素子，１１ｄ…上部導波素子，１１ｅ…下部導波素子，１１ｇ…元部，１２…第２ループアンテナ，１２ａ・１２ａ´…接続点，１２ｂ・１２ｃ…側部導波素子，１２ｄ…上部導波素子，１２ｅ…下部導波素子，１２ｇ…元部，１４…ボス，１４ａ…ネジ取付穴，１５…位相調整手段，１７…受片，１７ａ…湾曲部，１８…収容部，１８ａ…第２収容空間，１９…水切りスカート部，２０…反射器，２１…ネジ，２２…ナット，２３…導波器取付用貫通孔，２４…放射器取付用の貫通孔，２５…ネジ，３０…第３ループアンテナ，３０ｄ…上部導波素子，３０ｅ…下部導波素子，３０ｂ・３０ｃ…側部導波素子，３０ｇ…元部，３１…ループアンテナ支持台，３２…突設片，３３…貫通孔，３４…挿通孔，４０…アンテナ出力端子，４１，４２…凹部，４３…プリント配線板，４４…ネジ，４５…平衡不平衡変換手段。
【図１】
2008047988.tif 000003
【図２】
2008047988.tif 000004
【図３】
2008047988.tif 000005
【図４】
2008047988.tif 000006
【図５】
2008047988.tif 000007